(57)【要約】【課題】  まな板機能と笊機能の両者を備えた一体型の調理補助具を提供する。【解決手段】  可撓性を有する樹脂板１で構成される調理補助具。樹脂板１の一縁１１から樹脂板１の内方へ向けて延びるように形成された切離部１４、切離部１４の両側近傍に設けられた一対の係止部１５，１６、切離部１４の樹脂板１の内方側の端部１４２の周囲に形成された複数の貫通孔１７，１７，を有する。切離部１４の両側の樹脂板１０１，１０２を重ねて係止部１５，１６にて係止することにより複数の貫通孔１７，１７，の形成部位１０７が円錐面形状を保持し、笊として使用可能。円錐面形状の解除状態では樹脂板１の一部１０８をまな板として使用可能。【選択図】  図１
2012040096.tif 000002
【特許請求の範囲】
【請求項１】
可撓性を有する樹脂板で構成され、
前記樹脂板の一縁から樹脂板内方へ向けて延びるように形成された切離部と、
前記切離部の両側近傍に設けられた一対の係止部と、
前記切離部の樹脂板内方側の端部の周囲に形成された複数の貫通孔とを有し、
前記切離部両側の樹脂板を重ねて前記一対の係止部にて係止することにより前記複数の貫通孔の形成部位が円錐面形状を保持し、
前記一対の係止部の係止状態で前記円錐面形状の部位を笊として使用可能であり、前記円錐面形状の解除状態で樹脂板の一部をまな板として使用可能である、
ことを特徴とする調理補助具。
【請求項２】
請求項１に於いて、
前記一対の係止部は、前記切離部の両側近傍の対応部位にそれぞれ切込を入れて樹脂板の外方を向くように形成された一対の舌片部である、
ことを特徴とする調理補助具。
【請求項３】
請求項１又は請求項２に於いて、
前記樹脂板は略長方形状を成し、前記切離部は一方の短辺の略中央から他方の短辺へ向けて長辺の長さの略１／４の長さに形成された切離線部又は切離帯部又は切離切欠部である、
ことを特徴とする調理補助具。
【請求項４】
請求項３に於いて、
前記切離部が開始される一方の短辺は辺中央部が外方へ突出する弧状を成す、
ことを特徴とする調理補助具。
【請求項５】
請求項１〜請求項４の何れかに於いて、
前記複数の貫通孔は、前記切離部の樹脂板内方側の端部を中心とする同心円上に配置されている、
ことを特徴とする調理補助具。
【発明の詳細な説明】
【技術分野】
【０００１】
本発明は、まな板機能と笊（ざる）機能を備えた、携帯型の調理補助具に関する。
【背景技術】
【０００２】
キャンプ等でのアウトドア料理の普及に伴い、携行に便利な各種の調理器具や調理補助具が提供され、或いは、提案されている。
例えば、薄い板状のまな板（特開平１１−０１８９７０号公報）や、折り畳み可能なまな板（特開２００７−０３７８４６号公報）が、提案されている。
【先行技術文献】
【特許文献】
【０００３】
【特許文献１】特開平１１−０１８９７０号公報
【特許文献２】特開２００７−０３７８４６号公報
【発明の概要】
【発明が解決しようとする課題】
【０００４】
家庭内であれば、まな板も笊も有るため、野菜等の食材をまな板の上で処理した後、笊に移しかえて、水切りすることができる。
しかし、キャンプ場等のアウトドアでは、まな板と笊の両者を携行することは、荷物が増えて嵩張るため、避けたいことである。
本発明は、アウトドアでの上記の要望に鑑みたものであり、まな板機能と笊機能の両者を備えた一体型の調理補助具を提供することを目的とする。
【課題を解決するための手段】
【０００５】
本発明の構成を、下記［１］〜［５］に記す。なお、この項（［課題を解決するための手段］）と次項（［発明の効果］）に於いて、符号は理解を容易にするために付したものであり、本発明を符号の構成に限定する趣旨ではない。
【０００６】
［１］構成１
可撓性を有する樹脂板１で構成され、
前記樹脂板１の一縁１１から樹脂板１内方へ向けて延びるように形成された切離部１４と、
前記切離部１４の両側近傍に設けられた一対の係止部１５，１６と、
前記切離部１４の樹脂板１内方側の端部１４２の周囲に形成された複数の貫通孔１７，１７，，，とを有し、
前記切離部１４両側の樹脂板１０１，１０２を重ねて前記一対の係止部１５，１６にて係止することにより前記複数の貫通孔１７，１７，，，の形成部位１０７が円錐面形状を保持し、
前記一対の係止部１５，１６の係止状態で前記円錐面形状の部位１０７を笊として使用可能であり、前記円錐面形状の解除状態で樹脂板１の一部１０８をまな板として使用可能である、
ことを特徴とする調理補助具。
［２］構成２
構成１に於いて、
前記一対の係止部１５，１６は、前記切離部１４の両側近傍の対応部位にそれぞれ切込を入れて樹脂板１の外方を向くように形成された一対の舌片部１５，１６である、
ことを特徴とする調理補助具。
［３］構成３
構成１又は構成２に於いて、
前記樹脂板１は略長方形状を成し、前記切離部１４は一方の短辺１１の略中央から他方の短辺１２へ向けて長辺１３の長さＰの略１／４の長さＱに形成された切離線部１４又は切離帯部１４ａ又は切離切欠部１４ｂである、
ことを特徴とする調理補助具。
［４］構成４
構成３に於いて、
前記切離部１４が開始される一方の短辺１１は辺中央部１１０が外方へ突出する弧状を成す、
ことを特徴とする調理補助具。
［５］構成５
構成１〜構成４の何れかに於いて、
前記複数の貫通孔１７，１７，，，は、前記切離部１４の樹脂板内方側の端部１４２を中心とする同心円上に配置されている、
ことを特徴とする調理補助具。
【発明の効果】
【０００７】
構成１は、可撓性を有する樹脂板１で構成され、前記樹脂板１の一縁１１から樹脂板１内方へ向けて延びるように形成された切離部１４と、前記切離部１４の両側近傍に設けられた一対の係止部１５，１６と、前記切離部１４の樹脂板１内方側の端部１４２の周囲に形成された複数の貫通孔１７，１７，，，とを有し、前記切離部１４両側の樹脂板１０１，１０２を重ねて前記一対の係止部１５，１６にて係止することにより前記複数の貫通孔１７，１７，，，の形成部位１０７が円錐面形状を保持し、前記一対の係止部１５，１６の係止状態で前記円錐面形状の部位１０７を笊として使用可能であり、前記円錐面形状の解除状態で樹脂板１の一部１０８をまな板として使用可能であることを特徴とする調理補助具であるため、まな板機能と笊機能の両者を備えた一体型の調理補助具を提供することができる。
構成２は、構成１に於いて、前記一対の係止部１５，１６は、前記切離部１４の両側近傍の対応部位にそれぞれ切込を入れて樹脂板１の外方を向くように形成された一対の舌片部１５，１６であることを特徴とする調理補助具であるため、係止部１５，１６として別部材を付加する必要が無く、部品点数の増加が無いという、更なる効果がある。
構成３は、構成１又は構成２に於いて、前記樹脂板１は略長方形状を成し、前記切離部１４は一方の短辺１１の略中央から他方の短辺１２へ向けて長辺１３の長さＰの略１／４の長さＱに形成された切離線部１４又は切離帯部１４ａ又は切離切欠部１４ｂであることを特徴とする調理補助具であるため、樹脂板の略半分の領域を笊として用い、残り半分の領域をまな板として用いることができるという、更なる効果がある。
構成４は、構成３に於いて、前記切離部１４が開始される一方の短辺１１は辺中央部１１０が外方へ突出する弧状を成すことを特徴とする調理補助具であるため、笊としての使用時、上縁部が曲線形状を成すため見栄えが良いという更なる効果がある。
構成５は、構成１〜構成４の何れかに於いて、前記複数の貫通孔１７，１７，，，は、前記切離部１４の樹脂板内方側の端部１４２を中心とする同心円上に配置されていることを特徴とする調理補助具であるため、笊としての使用時、略均等に水切りできるという更なる効果がある。
【図面の簡単な説明】
【０００８】
【図１】第１の実施の形態の調理補助具の平面図。
【図２】図１の調理補助具を笊として使用するときの状態を示す斜視図。
【図３】第２のの実施の形態の調理補助具の平面図。
【図４】第３のの実施の形態の調理補助具の平面図。
【図５】第４の実施の形態の調理補助具の平面図。
【発明を実施するための形態】
【０００９】
（１）第１の実施の形態
図１と図２を参照して、第１の実施の形態を説明する。
図示の調理補助具は、まな板として使用される部位１０８と、笊（ざる）として使用される部位１０７とを有し、これらが、可撓性を有する１枚の樹脂板１内に、一体に設けられている。
【００１０】
樹脂板１は、ポリプロピレン（ＰＰ）製の平板で、厚さ０．５ｍｍ〜２ｍｍ程度であるが、これに限定されず、例えば、ポリエチレン（ＰＥ）、ポリ塩化ビニル（ＰＶＣ）、ポリエチレンテレフタレート（ＰＥＴ）、ポリカーボネート（ＰＣ）等を用いてもよく、また、厚さも、可撓性を有する厚さであればよい。なお、まな板として用いるため硬質樹脂であることを要するが、その硬さは、まな板として少なくとも１回分の調理での使用に耐え得る程度でもよい。なお、複数回分の使用に耐え得る硬さであってもよい。
また、公知の抗菌処理加工が施されていてもよい。
【００１１】
まな板として使用される部位１０８は、図１の例では樹脂板１内の略左半分として構成されており、この部位は通常の硬質樹脂板と同様である。即ち、平板状態（撓んだ状態に曲げられていない状態）で、平坦な台上に載置されて、まな板として使用される。
【００１２】
笊として使用される部位１０７は、図１の例では樹脂板１内の略右半分として構成されており、右側の縁（請求項の「一縁」）１１は、直線状ではなく、曲線状に形成されている。即ち、縁１１の中央部１１０が樹脂板の外方へ突出する弧状に形成されている。
この部位１０７は、複数個の貫通孔１７，１７，，，と、縁１１から樹脂板１の内方へ切り込み形成された切離部１４と、一対の係止部１５，１６とを有する。
また、この部位１０７には、壁等に突設された掛棒（不図示）に本調理補助具を掛けるための係止孔１９が設けられているが、これは、部位１０８内に設けてもよい。
【００１３】
切離部１４は、縁１１の中央部１１０から樹脂板１の内方へ向けて、樹脂板１の長辺１３と平行に、該長辺１３の長さＰの略１／４の長さＱとなるように、切込を入れて形成された部位であり、これにより、樹脂板１が、部位１０１と部位１０２に分離される。
切離部１４の長さが上記のように設定されているため、まな板として使用される部位１０８と、笊として使用される部位１０７とが、略同サイズとなる。
【００１４】
切離部１４により部位１０１０と部位１０２に分離される両側部分には、一対の係止部１５，１６が形成されている。即ち、樹脂板１を撓ませて部位１０１と部位１０２の所定領域を重ね合わせたとき（＝重なりを所定量としたとき）、相互に対応する（＝相互に重なる）所定の部位に、係止部１５（部位１０１側）と、係止部１６（部位１０２側）とが形成されている。
【００１５】
係止部１５と係止部１６は、樹脂板１の上述の対応部位に、それぞれ、切込（切込線１５０，切込線１６０；参照）を入れて、舌片状に形成された部位（舌片部）であり、舌の先端は、それぞれ、樹脂板１の外方に向けられている。即ち、舌片部１５の舌の先端は図１内で左上方に向けられ、舌片部１６の舌の先端は図１内で左下方に向けられている。このような向きに形成されているため、樹脂板１を撓ませて部位１０１と部位１０２の所定領域を重ね合わせたとき（＝重なりを所定量としたとき）、舌片部（係止部）１５と舌片部（係止部）１６とを相互に係止することが可能となる（図２参照）。また、このように切込（切込線１５０，切込線１６０；参照）を入れて形成されているため、係止部構成用の別部材を付加する必要がなく、コストを低減できる。
【００１６】
舌片部（係止部）１５の切込線１５０の両端には、係止時の撓みにより舌片部１５の根元付近に加わる力を逃がして損傷を防止するための逃げ孔１５１，１５１が形成されている。また、舌片部（係止部）１６の切込線１６０の両端と中央には、係止時の舌片部１５の舌の先端の挿入を容易にするべく切込線１６０の孔を拡げるための逃げ線１６１，１６１，１６１が形成されている。
【００１７】
切離部１４の樹脂板内方側の端部１４２には、中央貫通孔１７０が形成されており、その周囲には、図１内に一点鎖線で示す同心円上に、複数個の貫通孔１７，１７，，，が形成されている。
中央貫通孔１７０は、樹脂板１を撓ませて部位１０１と部位１０２の所定領域を重ね合わせて（＝重なりを所定量として）、舌片部（係止部）１５と舌片部（係止部）１６とを相互に係止するときに、その撓みを容易にするとともに、撓みによる端部１４２の損傷を防止する作用を奏する。このため、中央貫通孔１７０には、その作用を更に高めるための逃げ線１７０１が四方に形成されている。
【００１８】
複数個の貫通孔１７，１７，，，は、樹脂板１を撓ませて部位１０１と部位１０２の所定領域を重ね合わせて（＝重なりを所定量として）、舌片部（係止部）１５と舌片部（係止部）１６とを相互に係止して、部位１０７を円錐面形状としたとき、言い換えれば、部位１０７を笊として構成したときに、笊の水切孔としての作用を奏する。なお、前記中央貫通孔１７０も、同様に、水切孔としての作用を奏する。
図１の例では、貫通孔１７，１７，，，は同心円上に放射状に設けられているが、同心円上でなくてもよく、放射状でなくてもよい。また、貫通孔の数や配置間隔や各貫通孔のサイズは、水切能力や本調理補助具の強度を考慮して、適宜に設定することができる。
【００１９】
このように、第１の実施の形態の調理補助具は、まな板として機能する部位１０８と笊として機能する部位１０７とを単一の樹脂板１を用いて構成しているため、アウトドアでの携行に便利である。また、まな板上での処理の後、別の笊に移しかえることなく、速やかに水切りを行うことができる。
【００２０】
（２）第２の実施の形態
図３を参照して、第２の実施の形態を説明する。
第２の実施の形態では、切離部１４が、切離帯部１４ａとして構成されている。このように構成されているため、樹脂板１を撓ませて部位１０１と部位１０２の所定領域を重ね合わせる（＝重なりを所定量とする）とき、部位１０１側の縁と部位１０２側の縁とが擦れることがなく、作業が容易である。即ち、笊を構成する作業が容易である。
第２の実施の形態では、切離帯部１４ａ以外の構成は第１の実施の形態と同じであるため、同じ部位に同じ符号を付して示し、説明は省略する。
【００２１】
（３）第３の実施の形態
図４を参照して、第３の実施の形態を説明する。
第３の実施の形態では、切離部１４が、切離切欠部１４ｂとして構成されている。このように構成されているため、樹脂板１を撓ませて部位１０１と部位１０２の所定領域を重ね合わせる（＝重なりを所定量とする）とき、部位１０１側の縁と部位１０２側の縁とが擦れることがなく、作業が容易である。即ち、笊を構成する作業が容易である。
第３の実施の形態では、切離切欠部１４ｂ以外の構成は第１や第２の実施の形態と同じであるため、同じ部位に同じ符号を付して示し、説明は省略する。
【００２２】
（４）第４の実施の形態
図５を参照して、第４の実施の形態を説明する。
第４の実施の形態では、まな板として使用される部位１０８ａと、笊（ざる）として使用される部位１０７ａとが、重複して設定されている。
つまり、樹脂板を平板状として平坦な台上に載置したときには、その略全域（但し、図示の例では主として左寄りの領域１０８ａ）を、まな板として使用する。
また、樹脂板を撓ませて、部位１０１と部位１０２の所定領域を重ね合わせ（＝重なりを所定量とし）、舌片部（係止部）１５と舌片部（係止部）１６とを係止して、部位１０７ａを円錐面形状に保持したとき、言い換えれば、笊として構成したときには、その略全域（但し、図示の例では主として右寄りの領域１０７ａ）を、笊として使用する。
【００２３】
このように構成される第４の実施の形態では、まな板としての使用時に食材が貫通孔に入り込んで目詰まり等を生じないように、まな板として使用され易い左寄りの領域１０８ａの貫通孔１７ａのサイズが、まな板としては使用され難い右寄りの領域１０７ａの貫通孔１７のサイズよりも、小さく設定されている。
第４の実施の形態では、まな板として使用される部位１０８ａと笊（ざる）として使用される部位１０７ａとが重複して設定されていること、及び、それから派生される構成以外は、第１や第２や第３の実施の形態と同じであるため、同じ部位に同じ符号若しくは対応する符号を付して示し、説明は省略する。
【符号の説明】
【００２４】
１  樹脂板
１０１  樹脂板内の切離部近傍の一方の部位（重ねられる部位）
１０２  樹脂板内の切離部近傍の他方の部位（重ねられる部位）
１０７  樹脂板内の貫通孔の形成部位（円錐面形状となる部位）
１０７ａ  樹脂板内の貫通孔の形成部位（円錐面形状となる部位）
１０８  樹脂板内のまな板として使用可能な部位
１０８ａ  樹脂板内のまな板として使用可能な部位
１１  樹脂板の一縁／一方の短辺
１１ａ  樹脂板の一縁／一方の短辺
１１０  樹脂板の一方の縁の中央部／短辺の中央部
１２  他方の短辺
１２ａ  他方の短辺
１３  長辺
１４  切離部／切離線部
１４ａ  切離部／切離帯部
１４ｂ  切離部／切離切欠部
１４２  切離部の樹脂板内方側の端部
１５  係止部／舌片部
１５０  切込線
１５１  逃げ孔
１６  係止部／舌片部
１６０  切込線
１６１  逃げ線
１７  貫通孔
１７ａ  貫通孔
１７０  中央貫通孔
１７０１  中央貫通孔の逃げ線
１９  係止孔
【図１】
2012040096.tif 000003
【図２】
2012040096.tif 000004
【図３】
2012040096.tif 000005
【図４】
2012040096.tif 000006
【図５】
2012040096.tif 000007